(57)【特許請求の範囲】
【請求項１】
格闘技、接触競技またはグラップリング競技を練習するためのトレーニング機器であって、衝撃を吸収する充填材料（４、４’）で形成されたサンドバッグ（１）を備え、前記充填材料が、実質的に筒状の外被（３）の内部容積に配置され、この外被が、下端に下壁を構成する下閉鎖壁（１９）を備え、上端に上閉鎖壁（６）を備える、トレーニング機器において、前記サンドバッグを地面上で支えるための水平ベースであって、地面（Ｓ）上で不動になるように適応し、上に前記サンドバッグ（１）の前記外被の前記下閉鎖壁（１９）が載る水平ベース（２０）と、前記下閉鎖壁（１９）と前記水平ベース（２０）との間の接触点の周りで前記サンドバッグ（１）を少なくとも１つの垂直平面内で回転運動させる機械的連結部であって、前記水平ベース（２０）と前記サンドバッグ（１）との間で確立される機械的連結部とを備え、前記サンドバッグ（１）がさらに、直立位置に戻すための少なくとも１つの戻し手段（２１、６４、１０）を有し、前記戻し手段（２１、６４、１０）が、前記サンドバッグ（１）が直立している安定した初期状態および前記サンドバッグ（１）が水平になって地面に横たわっている不安定な最終状態になることが可能であり、さらに、前記トレーニング機器は、前記サンドバッグ（１）の上閉鎖壁（６）に機械的に連結する第１の要素（４４０）と、天井、柱または前記サンドバッグ（１）の上に広がるその他の任意の構造体に前記サンドバック（１）を保持する上方保持システム（１０）と連結する第２の要素（４４１）とを含むトリガー要素を含み、このトリガー要素は、前記第１、第２の要素を分離しようとする機械的負荷の強度がトリガー閾値よりも低ければ前記第１、第２の要素は互いに嵌合し合ったままで前記機械的負荷による引張負荷が前記上方保持システム（１０）にかかり、一方、前記機械的負荷の強度が前記トリガー閾値よりも高ければ前記第１、第２の要素は互いに分離することを特徴とする、トレーニング機器。
【請求項２】
前記サンドバッグ（１）の前記充填材料（４、４’）の中に収容されている、前記外被（３）の前記上閉鎖壁（６）から前記下閉鎖壁（１９）まで延在する剛性中央チューブ（５）を備え、前記剛性中央チューブが、前記下閉鎖壁（１９）および前記上閉鎖壁（６）に固定されて該下閉鎖壁（１９）および上閉鎖壁（６）とともに前記サンドバッグ（１）の骨組みを形成し、前記剛性中央チューブ（５）の上開口および下開口は、前記上閉鎖壁（６）の貫通孔および前記下閉鎖壁（１９）の貫通孔とそれぞれ連通し、前記少なくとも１つの戻し手段（２１、６４、１０）は、少なくとも部分的に前記剛性中央チューブ（５）に収容されることを特徴とする、請求項１に記載のトレーニング機器。
【請求項３】
前記少なくとも１つの戻し手段（２１、６４、１０）の内の第１の戻し手段（２１）は、前記剛性中央チューブ（５）にある装着点と前記水平ベース（２０）にある装着点との間に、張力をかけた状態で取り付けられた弾性部材で構成され、前記第１の戻し手段は、前記下閉鎖壁（１９）の貫通孔（３６）に嵌合することを特徴とする、請求項２に記載のトレーニング機器。
【請求項４】
前記少なくとも１つの戻し手段（２１、６４、１０）の内の第１の戻し手段は、前記サンドバッグ（１）の下部で前記剛性中央チューブ（５）の周りに設置されたバラスト重量で形成され、前記下閉鎖壁（１９）は半球容積を規定し、前記バラスト重量の重心は、サンドバッグを形成するために、半球容積の水平な赤道部分の中心よりも下にあることを特徴とする、請求項２に記載のトレーニング機器。
【請求項５】
前記少なくとも１つの戻し手段（２１、６４、１０）の内の第２の戻し手段（６４、１０）は前記サンドバッグ（１）の骨組みに機械的に連結され、該第２の戻し手段（６４）は、前記サンドバッグ（１）の前記上閉鎖壁（６）に取り付けられた第１の装着部材に固定され、さらに、天井、柱または前記サンドバッグ（１）の上に広がるその他の任意の構造体に取り付けられた第２の装着部材に機械的に連結するように適応していることを特徴とする、請求項２〜４のうちのいずれか一項に記載のトレーニング機器。
【請求項６】
前記第２の戻し手段（６４）は、少なくとも部分的に前記剛性中央チューブ（５）に収容された可撓性の細長い要素で形成されたケーブル（６４）であり、一方の端部は前記サンドバッグ（１）の前記剛性中央チューブ（５）に取り付けられた装着点に固定され、前記サンドバッグの外部にあるもう一方の端部は、前記第２の装着部材に機械的に連結し、前記ケーブル（６４）は、前記第２の装着部材と前記サンドバッグ（１）との間の距離を短縮しようとして前記ケーブルを初期状態に持って行こうとする力を受けることを特徴とする、請求項５に記載のトレーニング機器。
【請求項７】
前記上方保持システム（１０）は、縦方向に弾性変形するとともに、前記第２の装着部材と前記ケーブル（６４）の該当する方の端部との間に機械的に配置される、請求項６に記載のトレーニング機器。
【請求項８】
前記上方保持システム（１０）は、中央弾性要素（４０）および複数の周縁弾性要素（４１）を備え、前記両要素（４０）、（４１）は、互いに平行で、束の状態に構成され、その端部は、互いに間隔を開けた上方プレート（４２）と下方プレート（３９）とに固定され、前記周縁弾性要素（４１）は、個別に取り外し可能な形で前記２つのプレート（３９、４２）の少なくとも一方に固定されることを特徴とする、請求項７に記載のトレーニング機器。
【請求項９】
格闘技、接触競技またはグラップリング競技を練習するためのトレーニング機器であって、衝撃を吸収する充填材料（４、４’）で形成されたサンドバッグ（１）を備え、前記充填材料が、実質的に筒状の外被（３）の内部容積に配置され、この外被が、下端に下壁を構成する下閉鎖壁（１９）を備え、上端に上閉鎖壁（６）を備える、トレーニング機器において、前記サンドバッグを地面上で支えるための水平ベースであって、地面（Ｓ）上で不動になるように適応し、上に前記サンドバッグ（１）の前記外被の前記下閉鎖壁（１９）が載る水平ベース（２０）と、前記下閉鎖壁（１９）と前記水平ベース（２０）との間の接触点の周りで前記サンドバッグ（１）を少なくとも１つの垂直平面内で回転運動させる機械的連結部であって、前記水平ベース（２０）と前記サンドバッグ（１）との間で確立される機械的連結部とを備え、前記サンドバッグ（１）がさらに、直立位置に戻すための少なくとも１つの戻し手段（２１、６４、１０）を有し、前記少なくとも１つの戻し手段（２１、６４、１０）は前記サンドバッグ（１）の下方に設けられた第１の戻し手段と前記サンドバッグ（１）の上方に設けられた第２の戻し手段（２１、６４、１０）とを有し、前記第１、第２の戻し手段が、前記サンドバッグ（１）が直立している安定した初期状態および前記サンドバッグ（１）が水平になって地面に横たわっている不安定な最終状態になることが可能であり、さらに、天井、柱または前記サンドバッグ（１）の上に広がるその他の任意の構造体に前記サンドバック（１）を保持する上方保持システム（１０）と前記戻し手段（２１、６４、１０）の内の第２の戻し手段（６４）との間には、機械的にトリガーする閾値を設定できる閾値設定手段が設けられ、該閾値未満では前記上方保持システムのみに伸張負荷がかかり、前記閾値を上回れば前記第２の戻し手段にも引っ張り負荷がかかり、前記閾値設定手段はトリガー（４４）で形成され、該トリガーは、分離できる形で互いに接合した少なくとも２つの要素（４４０）、（４４１）で形成され、該要素の一方は、前記サンドバッグ（１）に機械的に連結し、前記要素のもう一方は、前記保持システム（１０）および前記第２の戻し手段に機械的に連結し、前記要素（４４０）、（４４１）は、互いに機械的に離れるように適応し、前記トリガーの前記要素（４４０）、（４４１）は、両者を分離しようとする機械的負荷の強度が前記トリガー閾値よりも低ければ接合したままになり、前記機械的負荷の強度が前記トリガー閾値よりも高ければ互いに分離することを特徴とする、トレーニング機器。
【請求項１０】
前記トリガー（４４）は、前記サンドバッグの前記上閉鎖壁（６）に固定されるか該上閉鎖壁の一部を形成している磁気材料製の磁化壁（４４０）と、該磁化壁と磁力により接触している磁石（４４１）とで形成され、前記磁石（４４１）は、連結器によって前記上方保持システム（１０）に固定され、前記第２の戻し手段の前記ケーブル（６４）は、該当する方の端部が前記磁石（４４１）に固定されることを特徴とする、請求項９に記載のトレーニング機器。
【請求項１１】
前記サンドバッグ（１）の下部は、該サンドバッグ（１）を前記初期状態に維持する安定手段（１００）を備えることを特徴とする、請求項１又は９に記載の機器。
【請求項１２】
前記安定手段（１００）は、実質的に球の一部の形態であるフォーム材製の周縁カバー（１００ａ）と、該周縁カバー（１００ａ）に埋め込まれたバラスト重量（１０５）とで形成され、該バラスト重量は前記下閉鎖壁（１９）に固定され、前記バラスト重量は、軸方向に貫通するねじ山を有し、該ねじ山に、前記少なくとも１つの戻し手段（２１、６４、１０）の内の第１の戻し手段（２１）の通路となる管状スリーブ（１９０）がねじ締めされることを特徴とする、請求項１１に記載のトレーニング機器。
【請求項１３】
前記安定手段（１００）は、内チャンバ（１１１）を規定しているシェル（１１０）で形成され、前記チャンバ内には安定材料（１１２）が配置され、前記シェル（１１０）は、水平な下壁（１１０ａ）、包囲壁または側壁（１１０ｂ）および水平な上壁（１１０ｃ）を有し、これらの様々な壁は、前記シェルの前記内チャンバ（１１１）を規定することを特徴とする、請求項１１に記載のトレーニング機器。
【請求項１４】
前記サンドバッグ（１）の下部は、該下部を保護して前記安定手段（１００）に固定するためのスカート（１２０）を備えることを特徴とする、請求項１３に記載のトレーニング機器。
【請求項１５】
前記安定手段（１００）は、衝撃吸収材（１０１）に回転式に取り付けられることを特徴とする、請求項１１〜１４のうちいずれか一項に記載のトレーニング機器。
【請求項１６】
低密度でフォーム材製の前記衝撃吸収材（１０１）は、包囲壁（１０４）で形成され、該包囲壁は、前記安定手段（１００）の周りに円形に広がって該安定手段と接触した状態であり、前記包囲壁は、前記安定手段（１００）を受け入れるように適応した開口ハウジング（１０２）を規定し、前記開口ハウジング（１０２）の形状は、前記安定手段（１００）の外面の形状と実質的に補完し合うことを特徴とする、請求項１５に記載のトレーニング機器。
【発明の詳細な説明】
【技術分野】
【０００１】
本発明は、格闘技および／または接触競技やグラップリング競技を練習するため、とりわけ練習する人物の筋力を増強し、スピードを上げ、反射能力を向上させるためのサンドバッグを備えるトレーニング機器に関する。本発明の主題は、サンドバッグを含むこのようなトレーニング機器である。
【背景技術】
【０００２】
先行技術で公知のものは、支持構造体から懸垂しているサンドバッグである。この支持構造体は上方にあるサスペンションリングであってよく、このリングは、天井に直接固定されているか、あるいは地面に固定された柱の上端に設定されたブームに直接固定されているかいずれかである。
【０００３】
仏国特許第２８４１７９２号には、ボクシングや空手などの接触競技でトレーニングするサンドバッグが知られている。このサンドバッグは、弾性変形する合成フォーム材製の筒状スリーブで包囲された垂直チューブを備えている。サンドバッグは、使用者が加える打撃を受け止めるようになっている。
【０００４】
このバッグは、地面よりも上で懸垂し、上端および下端は、２つの連結手段を介してそれぞれ上固定器および下固定器に連結し、この固定器のうちの少なくとも一方は弾性変形する。
【先行技術文献】
【特許文献】
【０００５】
【特許文献１】仏国特許第２８４１７９２号
【発明の概要】
【発明が解決しようとする課題】
【０００６】
このような様々なサンドバッグの欠点は、サンドバッグの重量が、全体的にまたはほとんど上部のサスペンションリングに支えられていて、このサスペンションリングを天井か柱のいずれかに強固に固定する必要があるという点である。天井に固定する場合、この天井の構造体は、バッグの重量を支えるだけでなく、とりわけ練習する人が加える打撃でバッグにかかる加速度から生じる力を支えるのに十分に強固なものでなければならない。
【０００７】
公知のバッグのもう１つの欠点は、バッグが一種類の活動にしか対応しておらず、例えばラグビーやアメリカンフットボールで実施されるタックルのトレーニングには使用できない点である。その上、タックルを練習する場合、既存のバッグは自動的に起き上がれない。
【０００８】
したがって、衝突を伴う競技の練習に適しているとともに、衝突および／またはグラップリングの競技にも適している多目的のサンドバッグが必要である。さらに詳細には、接触競技および／または格闘技（ボクシング、タイボクシング、レスリング、総合格闘技（ＭＭＡ）など）、武道（空手、カンフー、サンボ）、護身術（クラヴ・マガ、プンチャック・シラットなど）ならびにチームでの格闘競技（ラグビー、アメリカンフットボールなど）のトレーニングに適したサンドバッグが必要である。
【０００９】
さらになお詳細には、衝突を伴う競技の練習には、衝突力に応じて反応する動きを調整できるサンドバッグが必要である。換言すれば、サンドバッグに可動性を持たせ、サンドバッグ固有の特徴に基づいて本質的に制御されるサンドバッグが必要であり、このような制御は、使用者が加える衝撃力に応じて調整される。使用者の全四肢（拳固、腕、肘、膝、頸骨、足、頭）による打撃トレーニング向けに設計されるとともに、あらゆる打撃の高さに向けて設計されたサンドバッグが必要であり、このようなサンドバッグであれば、（「スピードバッグ」タイプの）高速サンドバッグの利点と、（「ヘビー」バッグタイプの）重量サンドバッグの利点とを一度に同時に提供し、このどちらのサンドバッグの欠点も伴わない。このようなサンドバッグには、現実的に揺れる動きを起こすことも必要であり、これは例えば、サンドバックの揺れが逆になって、先行技術による懸垂サンドバッグの上部が固定されたままで、先行技術による懸垂サンドバッグの下部が動ける状態であるという先行技術による懸垂サンドバッグの場合にはないことである。同じように、サンドバッグをとりわけ低い天井および地面に固定しやすいサンドバッグがあることが望ましく、これは、丈夫で巨体の柱または固定点を用いる必要があるのが一般的な先行技術による重量サンドバッグとは対照的である。最後に、力を調整できる攻撃または衝撃により起こるサンドバッグの抵抗および反応に応じた動きを示すサンドバッグがあることも望ましく、これは先行技術による懸垂サンドバッグに欠けている点である。
【００１０】
さらになお詳細には、衝突および／またはグラップリングの競技を練習するために、使用者が起こす衝撃力に応じて反応する動きや落下に対する耐性を調整できる、パンチング・タックル用バッグが必要である。換言すれば、衝撃力に適応した反応を示すパンチング・タックル用バッグが必要である。さらに別の言い方をすれば、パンチング・タックル用バッグにタックルした際に、このバッグが、パンチング・タックル用バッグが使用者から受ける衝撃に比例した現実的な反応を示すことが望ましく、この反応は、パンチング・タックル用バッグ固有の特徴に基づいて本質的に制御される。使用者の全四肢（拳固、腕、肘、膝、頸骨、足、頭）による垂直面および水平面への打撃トレーニング向けに設計されると同時に、パンチング・タックル用バッグが自動的に直立位置に戻るシステムを用いてパンチング・タックル用バッグを地面に投げられるようにも設計されたパンチング・タックル用バッグも必要である。ただし、このように自動的に戻ることは現実的で、使用者にとって危険性はない。パンチング・タックル用バッグの系統では、（「スピードバッグ」タイプの）高速パンチングバッグの利点と、（「ヘビー」バッグタイプの）重量パンチングバッグの利点と、このどちらのバッグの欠点も伴わないタックルバッグの利点とを一度に同時に提供し、とりわけ、パンチング・タックル用バッグの上部が揺れる動きを現実的にできるパンチング・タックル用バッグがあることが望ましく、これは、先行技術による懸垂パンチング・タックル用バッグの場合いはないことであり、先行技術での揺れは逆で、先行技術によるパンチング・タックル用バッグの上部は固定されたままで、先行技術によるパンチング・タックル用バッグの下部は動く状態である。パンチング・タックル用バッグを低い天井および地面に固定しやすいパンチング・タックル用バッグがあることも望ましく、先行技術によるパンチング・タックル用バッグではこのように固定しやすくはなく、丈夫で巨体の柱または固定点を使用せざるを得ないのが一般的である。さらに、サンドバッグが抵抗し、力を調整できる攻撃または衝撃により起こるパンチング・タックル用バッグの抵抗性および反応に応じた動きを示すパンチング・タックル用バッグがあることも望ましく、これは先行技術による懸垂パンチング・タックル用バッグに欠けている点である。最後に、地面に投げられた後にパンチング・タックル用バッグが自動的に起き上がるパンチング・タックル用バッグがあることが望ましく、それに対して先行技術によるパンチング・タックル用バッグは、手動で起こさなければならない。
【課題を解決するための手段】
【００１１】
このようにするために、格闘技、接触競技またはグラップリング競技を練習するための本発明によるトレーニング機器であって、衝撃を吸収する充填材料で形成されたサンドバッグを備え、充填材料が、実質的に筒状の外被の内部容積に配置され、この外被が、下端に下壁を構成する閉鎖壁を備え、上端に第２の閉鎖壁を備えるトレーニング機器は、バッグを地面上で支えるための水平ベースであって、地面上で不動になるように適応し、上にサンドバッグの外被の下壁が載る水平ベースと、少なくとも１つの垂直平面および下壁とベースとの間の接触点の周りでバッグを回転運動させる機械的連結部であって、前記支持ベースとサンドバッグとの間で確立される機械的連結部とを備え、前記サンドバッグがさらに、このサンドバッグを直立位置に戻すための少なくとも１つの手段を有し、前記手段が、バッグが直立している安定した初期状態およびバッグが水平になって地面に横たわっている不安定な最終状態になるように適応していることを特徴とする。
【００１２】
本発明は、衝突を伴う競技の練習に適しているとともに、衝突および／またはグラップリングの競技にも適していることによって、上記の必要性に対処するトレーニング機器を提供して状況を改善する。このような機器は、例えば、接触競技および／または格闘技（ボクシング、タイボクシング、レスリング、総合格闘技（ＭＭＡ）など）、武道（空手、カンフー、サンボなど）、護身術（クラヴ・マガ、プンチャック・シラットなど）ならびにチームでの格闘競技（ラグビー、アメリカンフットボールなど）のトレーニングに適し、このような機器のサンドバッグは、とりわけ使用者が起こす衝撃力に応じて反応する動きや落下に対する耐性を調整でき、このような機器は、地面に投げられた後にバッグが自動的に起き上がりやすく、このような機器はさらに、低い天井またはその他の任意の適切な構造体にも地面にも固定しやすい。
【００１３】
さらに、サンドバッグの重量は、この時点で支持ベースによって全体的に支えられ、その結果、地面によって支えられ、天井などへの固定に対しては、抜けないように抵抗力を強化する必要がもはやない。
【００１４】
本発明のもう１つの特徴によれば、バッグとベースとの間の機械的連結部は、有利には、ボールジョイントタイプのものである。このような構成により、機器のバッグは無数の垂直平面で自由に傾斜するだけでなく、バッグの長手軸周りで自由に回転運動もするようになる。
【００１５】
本発明のもう１つの特徴によれば、直立位置に戻すためのその手段または１つの手段は、天井に固定するための部材を備える。
【００１６】
本発明のもう１つの特徴によれば、下壁は、凸状で球状ドームを形成する。このような構成により、バッグの回転運動が容易になり、かつ、下壁をベース上で回す動きを可能にすることによってバッグが直立状態に戻るのが容易になる。
【００１７】
本発明のもう１つの特徴によれば、機器は、バッグの充填材料の中に収容されている、外被の上壁から下壁まで延在する剛性中央チューブを備え、前記チューブの上開口および下開口は、上壁の貫通孔および下壁の貫通孔とそれぞれ連通し、そのまたは１つの戻し手段は、少なくとも部分的に中央チューブに収容される。
【００１８】
骨組みを構成することによって、中央チューブは、サンドバッグに高さ方向の剛性を付与する。これによって、とりわけバッグの重量およびバッグが吸収する打撃によってバッグ自体が崩壊するのを防止する。
【００１９】
さらに、このような構成は、少なくとも部分的に、その戻し手段または少なくとも１つの戻し手段を包囲して保護する効果を有する。
【００２０】
最後に、このような構成のもう１つの利点は、バッグを硬直させることによってバッグの衝撃吸収度を下げることである。衝撃吸収機能は、本発明の場合は、とりわけバッグを直立位置に戻す手段またはその手段の１つによって提供される。
【００２１】
本発明のもう１つの特徴によれば、そのまたはその第１の戻し手段は、チューブの下領域にあるこのチューブの装着点と支持ベースにある装着点との間に、張力をかけた状態で取り付けられた弾性部材で構成される。
【００２２】
このような構成により、直立位置に戻るほか、バッグが支持ベース上で擦れるのを防止する。
【００２３】
また、本発明によるもう１つの実施形態によれば、第１の戻し手段は、バッグの下部で中央チューブの周りに設置されたバラスト重量で形成され、この特徴に加えて、下壁は半球容積を規定し、バラスト重量の重心は、サンドバッグを形成するために、半球容積の水平な赤道部分の中心よりも下にある。
【００２４】
このような構成により、第１の戻し手段を実現するために摩耗するおそれのあるあらゆる要素の使用を回避する。
【００２５】
本発明のもう１つの特徴によれば、その第２の戻し手段は、ケーブル形態の可撓性の細長い要素で形成され、一方の端部はサンドバッグの中央チューブに取り付けられた装着点に固定され、バッグの外部にあるもう一方の端部は、天井などの構造体に固定されるように適応した部材に機械的に連結し、前記ケーブルは、装着部材と前記バッグとの間の距離を短縮しようとしてこのケーブルを初期状態に持って行こうとする力を受ける。
【００２６】
このような構成は、バッグの上端で、前記バッグを直立位置に戻そうとする回転モーメントを起こせる径方向の力をかける類のものである。
【００２７】
本発明のもう１つの特徴によれば、チューブ内にあるケーブルの装着点は、前記チューブに取り付けられた戻しバネを有する巻き取り器のドラムであり、このチューブの下部か上部のいずれかにある。
【００２８】
このような構成では、ケーブルは、非伸縮性材料で作製されてよい。
【００２９】
また、本発明のもう１つの特徴によれば、ケーブルは、少なくとも部分的に弾性変形し、一方の端部がチューブの上部で固定され、下方プーリーの滑車に巻き付けられ、このプーリーのヨークは、チューブの下部に固定して取り付けられる。
【００３０】
このような構成により、バッグを地面に置けるように、弾性変形する比較的長い部分を有するケーブルを使用できる。そのため、このようなバッグは、タックルのトレーニングに使用できるものである。
【００３１】
本発明のもう１つの特徴によれば、ケーブルは、少なくとも１つの上方プーリーの滑車に巻き付けられて、この上方プーリーのヨークがチューブの上部に固定して取り付けられ、かつ、少なくとも１つの下方プーリーの滑車に巻き付けられて、この下方プーリーのヨークがチューブの下部に固定して取り付けられる。このような構成により、より長いケーブルを使用できる。
【００３２】
本発明のもう１つの特徴によれば、第２の弾性戻し手段の下方プーリーのヨークは、中央チューブに固定されるが、このようにする代わりに、本発明のもう１つの特徴によれば、第１の戻し手段は、弾性部材の形態で、第２の弾性戻し手段の下方プーリーに固定され、この第２のプーリーは、中央チューブに固定されずに取り付けられる。
【００３３】
この構成にすることよって、２つの弾性戻し手段は、互いに直接連結して両手段の効果を合わせている。さらに第２の手段は、この時点で複滑車として構成される。
【００３４】
本発明のもう１つの特徴によれば、縦方向に弾性変形する上方保持システムが設けられ、このシステムは、天井への装着部材とケーブルの該当する方の端部との間に機械的に配置される。
【００３５】
この上方保持システムは、バッグを直立位置に戻すのにも関わり、これに加えて、受けた打撃に対してバッグがさらに一層反応するように仕向ける効果を有する。打撃の衝撃を吸収する機能は、このシステムにもよっても得られる。
【００３６】
本発明のもう１つの特徴によれば、上方保持システムは、中央弾性要素および複数の周縁弾性要素を備え、前記両要素は、互いに平行で、束の状態に構成され、その端部は、互いに間隔を開けた上方プレートと下方プレートとに固定され、前記周縁弾性要素は、個別に取り外し可能な形で前記２つのプレートの少なくとも一方に固定される。
【００３７】
このような構成により、保持システムの硬さを調整できる。
【００３８】
本発明のもう１つの特徴によれば、上方保持システムと第２の戻し手段との間には、機械的にトリガーする閾値を設定できる手段が設けられ、バッグに回転負荷がかかった際に、この閾値未満では上方保持システムのみに伸張負荷がかかり、この閾値を上回れば第２の戻し手段にも伸張負荷がかかる。
【００３９】
したがって、バッグの回転が特定の度合い以上になると、上方保持システムによってかかる戻し作用が抑制され、その後この戻し作用は第２の戻し手段によってかけられる。これらの構成にすることにより、この時点で、対戦相手の体の反応を再現することが可能になる。
【００４０】
本発明のもう１つの特徴によれば、機械的にトリガーする閾値を設定するように適応した手段は、バッグの上壁に固定されるかこの上壁の一部を形成している磁化金属製の壁と、この磁化壁と磁力により接触している磁石とで形成され、前記磁石は、連結器によって上方保持システムに固定され、第２の弾性戻し手段のケーブルは、該当する方の端部が前記磁石に固定されている。トリガー閾値は、磁石とこれに結合している金属壁との間の磁気引力によって決まる。このトリガー閾値を調整するために、本発明のもう１つの特徴によれば、磁石とこれに結合している壁との間には、適切な厚みの磁気材料製シムが設けられる。
【００４１】
本発明のもう１つの特徴によれば、磁石は、突起ロッドを備え、このロッドの自由端は上方保持システムに固定され、前記ロッドが磁石上に形成する突起は、レバーアームを形成するために高さ調整可能なものであり、これによって機械的にトリガーする閾値も調整する。
【００４２】
ロッドの突起部分はレバーアームを形成し、このレバーアームの長さは、バッグが垂直線に対して傾斜した位置にある際に磁石にかかる回転モーメントの値を決定し、このモーメントの値は、上方保持システムがロッドに印加する力が径方向の構成要素にかかる強度の値によっても決まる。
【００４３】
本発明のその他の利点、目的および特徴は、添付の図面を参照して非限定的に挙げた好適な実施形態の説明文を読めば明らかになるであろう。
【図面の簡単な説明】
【００４４】
【図１】本発明による機器を部分的にカットした概略透視図である。
【図２】本発明による機器を部分的にカットした概略透視図である。
【図３】第１の実施形態によるバッグの上壁を示す概略斜視図である。
【図４】第２の実施形態によるバッグの上閉鎖壁を示す概略斜視図である。
【図５】バッグの下壁の斜視図である。
【図６】バッグを直立位置に戻すための第１の実施形態による第１の手段の組立図である。
【図７】バッグを直立位置に戻すための第１の実施形態による第１の手段の分解図である。
【図８】もう１つの実施形態による下方戻し手段の概略図である。
【図９】第３の実施形態による下方戻し手段の概略図である。
【図１０】第４の実施形態による下方戻し手段の概略図である。
【図１１】バッグを直立位置に戻すための第２の手段の案内手段の斜視図である。
【図１２】バッグを直立位置に戻すための上方手段の第１の実施形態の図である。
【図１３】バッグを直立位置に戻すための上方手段の第１の実施形態の図である。
【図１４】バッグを直立位置に戻すための上方手段の第１の実施形態の図である。
【図１５】上方戻し手段の第２の実施形態の図である。
【図１６】上方戻し手段の第２の実施形態の図である。
【図１７】上方戻し手段の第２の実施形態の図である。
【図１８】上方戻し手段の第３の実施形態の概略図である。
【図１９】上方保持手段の第１の実施形態を示す図である。
【図２０】上方保持手段の第１の実施形態を示す図である。
【図２１】上方保持手段の第２の実施形態を示す図である。
【図２２】トリガーの第１の実施形態の平面図である。
【図２３】トリガーの第２の実施形態の透視図である。
【図２４】第３の実施形態によるトリガーの詳細図である。
【図２５】もう１つの実施形態によるバッグの分解図である。
【図２６】もう１つの実施形態によるバッグの分解図である。
【図２７】図２６のバッグを組み立てた際の図である。
【図２８】衝撃吸収材の断面図である。
【図２９】図２８の衝撃吸収材の拡大詳細図である。
【発明を実施するための形態】
【００４５】
図示したように、格闘技、接触競技またはグラップリング競技を練習するための本発明によるトレーニング機器は、サンドバッグ１と、地面Ｓの上で不動になるように適応して地面に載っている水平ベース２０とを備え、地面にはサンドバッグ１の底が載り、サンドバッグ１の全重量は、地面に載っているこのベース２０によって支えられている。ベース２０とバッグ１との間には、好ましくはボールジョイントタイプの機械的な連結が確立され、これによってバッグ１は、少なくとも１つの垂直平面内で回転でき、かつバッグの底とベース２０との間の接触点の周りで回転できる。本発明による機器は、さらに、バッグ１を直立位置に戻す下方戻し手段２１を備え、この戻し手段、つまりバッグの下部に作用する第１の戻し手段２１は、バッグ１が直立している安定した初期状態と、バッグ１が水平で地面に横たわっている不安定な最終状態とに対して動作するように適応している。
【００４６】
サンドバッグ１は、全体的に筒状であり、革などの交換可能な天然皮革、またはプラスチック材、とりわけナイロンなど合成皮革からなる外被２を備えている。外被２は、第１の立体回転軸Ａ１に沿って規定されたチューブとして形成される。
【００４７】
外皮２は、規定された立体形状をサンドバッグ１に与える材料、とりわけ筒状にする材料でできた内被３を収容している。このような材料の１つが、例えば可撓性樹脂などである。内被３は、第１の立体回転軸Ａ１と一致する第２の立体回転軸Ａ２に沿って規定されたチューブとして形成される。内被３は、少なくとも１つの筒状衝撃吸収材ブロック４を収容し、このブロックは充填材を形成し、第２の立体回転軸Ａ２と一致する第３の立体回転軸Ａ３に沿って規定される。筒状衝撃吸収材ブロック４は、使用者がサンドバッグ１に打撃を加えた後に元の形に戻すために、好ましくは、胞状材料、例えばフォーム材など、弾性変形してとりわけ衝撃強さが高い材料で構成される。フォーム材の密度は、適切な重量と可動性と反応性との間で良好な妥協点をサンドバッグ１に施すために選定したものである。
【００４８】
好適な実施形態によれば、筒状衝撃吸収材ブロック４は、第３の立体回転軸Ａ３に沿って互いに積み重ねた複数の別個の筒状衝撃吸収材ブロック４’で構成される。
【００４９】
このようにする代わりに、充填材は、例えば加圧した空気などの流体で構成されてもよく、その場合バッグ１は、その流体用にシールされた膨張可能な入れ物で構成される。
【００５０】
筒状衝撃吸収材ブロック４は中央チューブ５を収容し、このチューブは、破損するリスクなしに屈曲できるように、弾性変形することが好ましい。このチューブも同じく、第３の回転軸Ａ３と一致する第４の立体回転軸Ａ４に沿って規定された筒状の形である。例えば金属製であるこの剛性の中央チューブは、このチューブの上端および下端それぞれに、軸方向の開口を構成する口を備えている。バッグを直立位置に戻すその戻し手段または各々の戻し手段は、少なくとも部分的にチューブ５内に収容され、このチューブに直接または機械的連結を介して固定される。したがって、バッグをしかるべき位置に戻す力は、バッグの骨組みに吸収される。
【００５１】
サンドバッグ１、さらに詳細には内被は、上閉鎖壁６と、その反対側でバッグの底を構成する下閉鎖壁１９とを備えている。チューブ５は、上壁６から下壁１９まで延在し、好ましくは下壁に固定され、該両壁とともにバッグの骨組みを構成する。上閉鎖壁６は、第４の回転軸Ａ４に対して垂直な円盤平面Ｐ１にある。上壁６は、その周縁に上方孔７を有し、これは、該上方孔７および外被２の上方周縁８にある中央孔７’に上方リングを通すためのものである。これらの配置は、サンドバッグ１を容易に組み立てられ、サンドバッグ１へのメンテナンス作業を迅速に行えることが狙いである。
【００５２】
１つの実施形態によれば、図３に示したように、上閉鎖壁６は円盤である。この壁６の中心領域は、好ましくは、チューブ５の上端に何らかの公知の手段で直接固定されるか、あるいは、図３に見られる固定リング９の形状をした第１の装着部材をバッグの外部に受け入れることができる固定要素を介して固定される。この実施形態によれば、固定要素は、例えば肩部があってねじを切ったブッシュで、そのねじを切った部分が上壁６を貫通している中心孔にまず嵌合し、その後、チューブ５の上部のねじを切った部分に嵌合する。通し孔の直径は、チューブ５の内径に等しくてよい。ねじを切ったブッシュをねじ締めすると、このブッシュの肩部は壁６の上面に当接する。このように、この壁６は、チューブの上端とねじを切ったブッシュの肩部との間で締め付けられる。このブッシュと結合しているリング９は、案内・保持シャフトを有していてよく、このリングのシャフトは、ブッシュを貫通している軸方向の孔に回転しながら嵌合する。このシャフトは、ブッシュよりも長く、ブッシュの孔の外側にある自由端で、リング９が該ブッシュに対して並進移動しないようにする保持リングを受け入れる。このリング９には、直立位置に戻すための手段を固定でき、さらに、天井や柱など、バッグの上に広がっている構造体に取り付けられた第２の装着部材に固定できる。
【００５３】
もう１つの実施形態によれば、図４に示したように、上閉鎖壁６は、円形閉鎖プレート１２と、この円形プレート１２を覆ってこの円形プレートに固定される上方閉鎖円板１１とで形成される。閉鎖プレート１２は閉鎖孔１７も有し、この閉鎖孔は、前記上方リングを通し、閉鎖プレート１２と外被２と上方閉鎖円盤６とを互いにつなぎ合わせるためのものである。上方閉鎖円板１１は、ねじ１４によって閉鎖プレート１２に固定される。これらのねじのねじを切った軸部は、上方円板１２を貫通孔１５に嵌合し、ねじを切った軸部は、閉鎖プレート１２を貫通しているねじ用にねじを切った孔１６にも嵌合する。
【００５４】
最後に、上方円板１１および閉鎖プレート１２はそれぞれ、両者を貫通している中心孔１８、１８’を有し、この孔は、戻し手段の案内部材７５（図１１）、この場合はケーブル６４を通すためのものであり、バッグを直立位置に戻すためのこの手段を、これ以降では第２の戻し手段と呼び、この手段については以下に説明する。１つの実施形態によれば、案内部材７５は、図１６にさらに詳細に示したように、チューブ５の上部に取り付けられる。
【００５５】
バッグの底を構成している壁１９は、第４の立体回転軸Ａ４と一致する回転軸Ａ６を有する。
【００５６】
この壁１９は、中央チューブ５を固定した状態で受け入れる。
【００５７】
第１の実施形態によれば、図５に示したように、下壁１９は凸状で、球状ドームの形状をしていて、この球状ドームは半球であってよい。
【００５８】
地面に載っているベース２０は、少なくとも１つのねじ２３を用いて、あるいは何らかの他の同様の固定手段を用いて、地面Ｓに取り付けられてよい。この支持ベース２０は、薄型の金属プレートまたはフォーム材製の衝撃吸収マットで形成されてよい。また、支持ベース２０は、地面に固定されずに、バラスト重量を用いて地面に対する固定位置に保持される。この場合、支持ベース２０は、有利には、バラスト重量を受け入れる箱の上壁を構成する。このバラスト重量は、水、砂または密度が十分なその他の充填材料で構成されてよい。当業者に公知のその他の任意の手段を用いて支持ベースを地面に対して不動にしてよい。例えば、地面に載っているこのベースの表面は、滑り止めするように構成されてよい。
【００５９】
このようにする代わりに、ベース２０は、金属プレートの形態またはマットの形態で、バラスト重量を構成するためにそれ自体が十分重くてよい。
【００６０】
前述したように、バッグ１は、直立位置に戻す下方戻し手段２１、すなわち第１の戻し手段を具備し、この戻し手段は、バッグの下部に作用する。
【００６１】
第１の実施形態によれば、そのまたはその第１の戻し手段２１は、バッグの骨組みに固定されるとともに、地面への支持ベース２０に固定される。この戻し手段２１は、弾性部材で構成され、この弾性部材は、チューブの下領域または上領域でこのチューブ５にある装着点と、支持ベース２０にある装着点との間で、張力がかかった状態で取り付けられる。したがって、この戻し手段２１は、下壁の通し孔３６に通すことによってこの下壁１９を貫通する。この通し孔３６は、チューブ５の下方の口と連通する。
【００６２】
第１の実施形態によれば、図６および図７に示したように、第１の戻し手段２１は、保持器を形成する主シリンダ２４を備え、この主シリンダは、中央チューブ５の下部に取り付けられる。この主シリンダは、巻きバネの形態である第１の戻し部材２５と、巻きバネ２５と支持ベース２０との間に機械的連結を提供するケーブル２６の形態である可撓性連結器とを受け入れる。主シリンダ２４は、第４の回転軸Ａ４と一致する第５の回転軸Ａ５を有する。第１の戻し部材２５および第１のケーブル２６は、地面への支持ベース２０にある第１の固定点２７と、主シリンダを閉鎖する上プラグ３０にある第２の固定点２８との間で、合わせてひと続きに取り付けられる。上プラグ３０および主シリンダの下部に嵌合するケーブル案内プラグ２９の目的は、主シリンダ２４の内部の主空間３１を封鎖することであり、この主空間３１は、とりわけ戻し部材２５を受け入れる。ケーブル案内プラグ２９は、第１のケーブル２６を通すためにこのプラグを貫通する孔２９’を有する。ケーブル案内プラグ２９は、主シリンダ２４およびバッグ１の下壁１９に取り付けられる。上プラグ３０は、主シリンダ２４に取り付けられる。第２の固定点２８は、さらに詳細には、上プラグ３０の貫通孔で自由回転するアンカーねじ３３にある。主シリンダ２４は、その周縁にロック用の溝３４を有し、この溝は、主シリンダ２４とこれらの図には示していないチューブ５とを互いに固定するロックねじの一方の端部を受け入れる。これらの配置は、サンドバッグ１にタックルした際に第１のケーブル２６が孔２９’を通って移動できて、支持ベース２０に対して傾斜させることができ、その後に第１の戻し部材２５が第１のケーブル２６を最初の位置、すなわち主シリンダ２４の内部に戻そうとするようになっている配置である。
【００６３】
もう１つの実施形態によれば、図８に示したように、第１の戻し手段２１は、弾性リング２１ａで構成された細長い弾性要素で形成され、弾性リングはチューブ５の直径に沿ったロッド５０に固定され、ロッドはチューブの径方向の貫通孔に嵌合する。この弾性リング２１０は、直径沿いのロッドの反対側で、地面に載っているベース２０に弾性リングを装着する連結器２１ｂを受けるか、このようにする代わりに、直接地面に固定される。この弾性リングまたは連結器２１ｂは、下壁１９の貫通孔３６に嵌合する。
【００６４】
また、細長い弾性要素２１ａは、巻きバネの形態を取り、チューブ５に固定されるとともに、ベース２０にも固定され、このバネは、下壁１９の貫通孔３６に嵌合する。この細長い要素は、弾性ケーブルで構成されてよい。
【００６５】
さらなる実施形態によれば、図９に示したように、第１の戻し手段２１は、ベース２０に固定されるとともに、下壁１９に規定された凹部に取り付けられた要素にも固定され、この要素は、下方の個々の筒状ブロック４’で構成される可能性があり、これは本発明では限定されない。この点に関して、この筒状ブロック４’はこの場合、適切な密度のフォーム材製ブロックまたは第１の戻し手段２１の圧縮作用に耐えるのに十分な剛性を有するその他の任意の材料で構成される。この場合、この下方の個々のブロック４’は、下壁１９にある孔３６の軸沿いの線を貫通する孔を有し、前記通し孔に前記第１の戻し手段を受け入れ、この第１の戻し手段は、本質的に弾性ケーブルまたは巻きバネで構成される。このケーブルまたはバネの下端は、任意の公知の手段によってベース２０に固定される。このケーブルまたはバネの上端は回転機構に固定され、この回転機構は、下方の基本ブロック４’の上面を押圧するプレートに保持される。このような回転機構は、それ自体が公知のもので、バッグ１を軸Ａ１〜Ａ４周りに戻し手段２１に対して回転させることができ、これによって前記戻し手段２１にかかる何らかのねじれ負荷を防止する。
【００６６】
もう１つの実施形態によれば、図１０に示したように、第１の戻し手段２１は、バッグの下部で中央チューブ５の周りに設置されたバラスト重量で形成される。下閉鎖壁１９または下壁の外面は、さらに詳細には半球状で、同じく半球状の内側容積を規定し、この容積内にバラスト重量が入れられる。バラスト重量の重心は、サンドバッグを形成するために、半球容積の赤道部分の中心の下にある。この実施形態によれば、下壁１９には戻し手段２１を通る貫通孔が一切ない。また、戻し手段のバラスト重量は弾性連結器に結合し、この連結器は、ベース２０に固定されるとともにチューブ５に固定される。この場合、壁１９は、弾性連結器が通る孔３６を備える。
【００６７】
これは本発明では限定されないが、本発明による機器は、有利には、バッグ１の骨組みに機械的に連結した上方戻し手段または第２の戻し手段を備える。この上方戻し手段は、バッグ１に取り付けられた第１の装着部材に固定され、さらに詳細には前記バッグの骨組みに固定され、天井、柱またはバッグの上に広がるその他の任意の構造体に取り付けられた第２の装着部材に機械的に連結するように適応している。この第２の戻し手段は、第２の装着部材に機械的に直接連結されるか、あるいは、とりわけ前記第２の戻し手段と前記第２の固定部材との間に機械的連結を提供する要素を介して連結されてよい。
【００６８】
１つの実施形態によれば、この第２の戻し手段は、本質的にケーブル６４の形態である細長い可撓性要素で形成され、少なくとも部分的にチューブ５に収容され、第１の装着部材と第２の装着部材との間の距離を短縮しようとするとともに前記バッグをその初期状態、すなわち直立位置に戻そうとする内側または外側の力を受ける。
【００６９】
図示していない第１の実施形態によれば、ケーブル６４は、弾性で、全体的にバッグの外部にある。この状況では、このケーブル６４の一方の端部は、図３に見られる固定リング９に固定される。ケーブルは、このリング９を介して中央チューブ５に取り付けられる。ケーブルのもう一方の端部は、第２の固定部材に直接連結されるか、あるいは前述したように、前記ケーブル６４と前記第２の固定手段との間に機械的連結を提供する要素を介して連結される。
【００７０】
もう１つの実施形態によれば、図１２〜図１８に示したように、ケーブル６４をバッグに装着するための部材は、チューブ５の内部に位置していて、前述したように、前記ケーブルは、チューブ５の上部に具備された案内部材７５に嵌合し、この案内部材は、上方円板１１および上閉鎖壁６の閉鎖プレート１２の貫通孔１８および１８’に嵌合する。
【００７１】
筒状ブッシュ形態の案内部材７５（図１１）は、ケーブル６４を通すための軸方向の孔７６を有する。案内部材は、例えば中央チューブ５、さらに正確にはチューブの上部にあるねじ山に取り付けるためのねじ山７７を有する。
【００７２】
好適な実施形態によれば、この案内部材７５は、上部に支持フランジ７８を有し、このフランジはチューブ５の上端に載る。さらに、このフランジ７８は、閉鎖プレート１２にねじ締めされてよい。このようにする代わりに、フランジ７８は、上方円板１１の上面に載り、この円板にねじ締めされる。これらの配置は、チューブ５を不動にし、チューブを上閉鎖壁６に固定するものである。通し孔７６の上エッジおよび下エッジはそれぞれ面取り部分を有するか丸く加工されて、ケーブルを摩耗しやすい鋭利なエッジができるのを防止する。通し孔１８および１８’にも同じ配置を再現できる。
【００７３】
１つの実施形態によれば、図１２、図１３、図１４に示したように、ケーブル６４は、非伸縮性で、ケーブル６４をバッグに装着する部材、つまり第１のバッグ装着部材は、チューブ５の中に収容されてこのチューブに固定される。この装着部材は、戻しバネを備えた巻き取り器のドラム６２であり、前記チューブ５の中に取り付けられてこのチューブに固定される。さらに正確には、巻き取り器は、チューブ５に固定されたケーシング６１を備え、このケーシング内でドラム６２は、ケーシングが保持するアクスル６５を中心に回転するように取り付けられる。戻しバネ６３は、螺旋状の板バネの形態をしている。
【００７４】
バネ６３は、アクスル６５とドラム６２との間に取り付けられ、ドラムに戻しトルクをかけて、ドラムを角度のついた最初の位置に向かせる。さらに正確には、アクスル６５の一方の端部に巻き付けられて固定された戻しバネは、アクスルのもう一方の端部でドラム６２に固定される。
【００７５】
巻き取り器は、チューブ５の上部に取り付けられてもよいし、あるいは、代替実施形態では、第１の戻し手段２１のすぐ上の下部に取り付けられてもよい。
【００７６】
もう１つの実施形態によれば、図１５〜図１８に示したように、第２の戻し手段のケーブル６４は、ケーブルの全長にわたって、またはケーブルの一部にわたって弾性である。この実施形態によれば、ケーブル６４の一方の端部は、チューブ５の内部にあり、前記チューブ５の上部に固定され、下方プーリー８０の滑車に巻き付けられ、このプーリーのヨークは、チューブの下部に固定して取り付けられる（図１６、１７）。
【００７７】
代替実施形態によれば（図１８）、ケーブル６４は、チューブ５の上部に取り付けられた少なくとも１つの上方プーリー８１の滑車に巻き付けられ、上方プーリーのヨークは、この上方プーリーに固定されるとともに、少なくとも１つの下方プーリー８２の滑車に固定され、この下方プーリーのヨークは、チューブ５の下部に固定して取り付けられる。
【００７８】
前述した実施形態によれば、第２の弾性戻し手段の下方プーリー８０、８２のヨークは、中央チューブ５に固定されるが、一変形実施形態では、第１の戻し手段は、弾性部材の形態で、第２の弾性戻し手段の下方プーリー８０、８２に固定され、この第２のプーリーは、中央チューブ５内で並進移動するように取り付けられる。
【００７９】
ケーブル６４の該当する方の端部は、第２の固定手段に直接固定されてもよいし、またはこのようにする代わりに、天井への装着部材つまり第２の装着部材と、第２の戻し手段つまり上方戻し手段のケーブル６４の該当する方の端部との間には、上方保持システム１０が機械的に介在していて、このシステムは長手方向に弾性変形する。この上方保持システム１０は、ケーブル６４と第２の固定部材との間に、機械的な連結要素、または前述した機械的な連結要素のうちの１つを構成する。この上方保持システム１０は、戻し手段としての役割も果たし、ケーブル６４の作用を補完し、かつ／または補正する。上方保持システムは、上方戻し手段として用いることもでき、ケーブル６４および戻し要素はこの上方保持システムに結合していない。この上方保持システム１０は、このシステムを第２の装着部材に固定するためのリングを備えている。明らかにこの場合ケーブルは、第２の装着部材に直接連結されず、代わりに上方保持システム１０を介して第２の装着部材に連結される。
【００８０】
第１の実施形態によれば、図１、図２、図１２、図１９、図２０に示したように、上方保持システム１０は、ケーブル４０の形態をした中心弾性要素と、ケーブル４１の形態をした複数の周縁弾性要素とを備えている。図からわかるように、これらの様々な要素４０、４１は、互いに平行で、束の状態に構成され、その端部は、互いに間隔を開けた上方プレート４２と下方プレート３９とに固定される。周縁の弾性部材４１は、有利には、上方保持システムの硬さを調整できるように、個別に取り外し可能な形で２つのプレートの少なくとも一方に固定される。図１９に示した実施形態によれば、周縁要素４１は、個別に取り外し可能な形で下方プレート３９に固定される。このようにするために、各要素４１の下部は拡大部４１０を有し、下方プレート３９は、周縁に開口する径方向スロット３９０を有する。各周縁要素４１は、該当する径方向スロットに嵌合することによってプレート３９に固定され、拡大部４１０は、プレート３９の下面に当接する。各要素４１の拡大部を収容するために、プレートの下面は、該当する径方向スロット３９０と連通する一連のくぼんだ印を備えていてよい。
【００８１】
図２０からわかるように、下方プレート３９は、ケーブル６４の該当する方の端部の固定リング５３を具備している。この固定リング５３は、プレート３９の下にあり、径方向のジャーナルを備え、このジャーナルを介して固定リングは、プレート３９の中央ハウジングに取り付けられたボールベアリング５４の内レースに嵌合する。
【００８２】
上方プレート４２は、このプレートを第２の固定部材に固定するためのリング５９を有する。
【００８３】
第２の実施形態によれば、図１５、図１６、図２１に示したように、この上方保持システム１０は、巻きバネ７０で構成され、連結アセンブリ７２を備え、この連結アセンブリには、ケーブル６４の該当する方の端部が固定されるとともに、巻きバネ７０の下端が固定される。この保持システムはさらに回転機構７１を備え、この回転機構は、巻きバネの上端に固定され、第２の固定部材に固定されるように適応している。回転機構７１は、サンドバッグ１自体を３６０°回転させる。回転機構７１は、シャックルとジャーナルを備えるジャーナル・シャックルで構成されることが好ましい。
【００８４】
上方保持システム１０とバッグの骨組みとの間には、有利には、機械的にトリガーする閾値を設定するように適応した手段が配置されていて、この閾値未満では、上方保持システム１０は堆積物の骨組みに固定され、この閾値を上回ると、前記保持システム１０の下端は骨組みから外れる。
【００８５】
この手段は、トリガー４４で構成され（図２２、図２３、図２４）、このトリガーは、分離できる形で互いに接合している少なくとも２つの要素４４０、４４１で形成され、このうちの第１の要素４４０はバッグ１の骨組みに機械的に連結し、第２の要素４４１は保持システム１０に連結し、前記両要素は、互いに機械的に引き離されるように適応している。これらのトリガー要素は、この両要素を分離しようとする機械的負荷の強度がトリガー閾値よりも低ければ互いに嵌合し合ったままであり、一方、前記機械的負荷の強度がトリガー閾値よりも高ければ互いに分離する。
【００８６】
第１の実施形態によれば、バッグは２つの上方保持手段を備え、同手段のうちの一方はケーブル６４を備え、もう一方は上方保持手段１０で構成される。この実施形態によれば、ケーブル６４は、トリガーの第２の要素４４１に固定される。したがって、トリガー閾値未満では上方保持手段１０のみに伸張負荷がかかり、一方、この値を上回れば、トリガー４４の２つの要素４４０、４４１は互いに分離し、ケーブル６４にも引っ張り負荷がかかる。
【００８７】
もう１つの実施形態による、図２５に示したように、バッグは、上方保持手段、すなわち上方保持手段１０を１つのみ備え、トリガーの第２の要素は、前記保持手段１０の下端のみを固定した形で受け入れる。この実施形態によれば、トリガー閾値を超えると、上方保持手段１０は突然にバッグ１から分離する。
【００８８】
図２２、図２および図２４に示したような実施形態によれば、トリガー４４１の第１の要素４４０は、例えば鋼鉄などの磁化材料で構成されてよい壁で形成されるか、磁化壁または磁石で形成される。この第１の要素４４０は、バッグ１の上壁６に固定されるか、この上壁の一部を形成する。第２の要素４４１は、第１の要素４４０に磁気によって連結した磁石で構成され、前記磁石４４１は、上方保持システム１０の下端に固定される。
【００８９】
磁石４４１はこのほかにも、剛性ロッド４４３の形態をした突起レバーを備え、この突起レバーの自由端に上方保持システム１０が直接固定されるか、可撓性連結器４４２を介して固定される。前記ロッドまたはレバーが磁石４４１上に形成する突起は、有利には、調整可能なレバーアームを形成するために、高さ調整が可能なものである。このようにするために、ロッド４４３は、ねじが切ってあり、磁石４４１のねじ穴にねじ締めされる。ロッド４４２のねじを締めたり弛めたりすることで、前記ロッドの突起部分が形成するレバーアームの長さを調整する。
【００９０】
トリガーの２の要素４４０、４４１の間の磁気引力は、例えば適切な厚みの磁気材料でできた１つ以上のシム４４４を挿入して調整できる。このシムまたはこれらのシムは、磁石４４１と磁化壁４４０との間に設置される。
【００９１】
バッグが２つの上方戻し手段を具備していて、そのうちの一方が上方保持手段で形成され、もう一方がケーブル６４を備えている場合、このケーブルは、それ自体が公知の回転連結部を介して、ケーブルの端部を第１の要素４４０すなわち磁石に固定される。
【００９２】
もう１つの実施形態によれば、図２３に示したように、磁石の形態をした第１の要素４４０は、バッグ１の上壁６に固定され、第１の要素の上に第２の要素４４１を有し、第２の要素は管状で、例えば鋼鉄などの磁化材料、または磁気材料で作製されるか、あるいは磁石である。この第２の要素４４１はねじ山４４５を有し、このねじ山に管状要素４４３がねじ締めされてレバーを形成する。このようにするために、管状要素は適切なねじ山を有する。レバー４４３を第２の要素にねじ締めすることで、レバー４４３の突起部分が形成するレバーアームの値をトリガーの第２の要素４４１に対して調整し、それによってトリガー閾値を調整する。磁石４４０と第２の要素４４１との間の磁気引力は、適切な厚みの非磁性シムを少なくとも１つ挿入することで調整できる。
【００９３】
前述したように、バッグが２つの上方戻し手段を具備していて、そのうちの一方が上方保持手段で形成され、もう一方がケーブル６４を備えている場合、このもう一方の保持手段は、それ自体が公知の回転連結部５０’を介して、ケーブル６４の端部を第２の要素４４１すなわち磁石に固定される。この回転機構によって、ケーブル６４にねじれ負荷を一切かけることなくサンドバッグ１自体を３６０°回転させることができる。
【００９４】
最後に、レバー４４３は、中心部５０にケーブルガイド４９も備えている。レバーを貫通しているこのケーブルガイドは、第１の要素４４０の中心点４５と上方保持システム１０との間に機械的連結を提供する連結器用の通路を構成する。
【００９５】
もう１つの好適な実施形態によれば（図２４）、トリガーの第１の要素および第２の要素４４０、４４１はそれぞれ、例えばアルミニウム、またはその他の任意の非磁性材料でできた適切な取付台に配置された複数の磁石４４０ａ、４４１ａで形成される。
【００９６】
それぞれの取付台は、２つの大きな平面を有する分厚い円盤の形態で、支持面である一方の面は、トリガーのもう一方の要素の取付台の大きな支持面と接触するように適応している。取付台には、大きな支持面から筒状のめくら穴が設けられる。筒状磁石４４０ａ、４４１ａは、孔の寸法に等しい寸法であり、取付台の支持面と同一平面になるように孔にしっかりと嵌合する。各磁石４４０ａ、４４１ａの極は、それぞれ２つの平坦な端部面に相当する。トリガー４４の各要素４４０、４４１の磁石４４０ａ、４４１ａは、前記２つの要素４４０、４４１どうしの間に相互の磁気引力を生み出すために、他方の要素の磁石の反対側に配置される。このような構成の利点は、２つの要素４４０、４４１が互いに引きつけ合う際に自動的に中心に戻る点にある。
【００９７】
図２５および図２６は、本発明によるバッグ１のその他の実施形態を示している。下閉鎖壁１９は円盤の形態であり、この円盤に内被および外被２、３が固定される。
【００９８】
図２５からわかるように、バッグ１の下部は、好ましくは高密度のフォーム材製で、実質的に球の一部の形態である周縁カバー１００ａの形態である安定手段１００と、周縁カバーを構成しているフォーム材に埋め込まれたバラスト重量１０５とを備える。このバラスト重量は、有利には、サンドバッグを形成するために分厚い鋳鉄製の円盤で構成される。この鋳鉄製のバラスト重量１０５は、下閉鎖壁１９にねじ締めされる。バラスト重量は、軸方向にねじを切った貫通孔も有し、この孔に、第１の戻し手段２１の通路となる管状ガイドスリーブ１９０がねじ締めされる。
【００９９】
図２６は、本発明によるサンドバッグのもう１つの実施形態の分解図である。バッグの下部は、ここでも安定手段１００を備えていることがわかる。この安定手段１００は、この実施形態によれば、内チャンバ１１１を規定している剛性シェル１１０で形成され、このチャンバ内には、固体、顆粒または液状の安定材料１１２が配置される。
【０１００】
シェル１１０は、水平な下壁１１０ａ、包囲壁または側壁１１０ｂおよび水平な上壁１１０ｃを有し、これらの様々な壁は、シェルの内チャンバ１１１を規定している。バッグ１の下壁１９は、シェル１１０の上壁１１０ｃに載る。
【０１０１】
シェル１１０の内チャンバ１１１は、有利には、安定材料を受け入れるための開口を上部に有する。この上部の開口は、密閉して閉鎖させるための閉鎖カバーが付いている。そのためこの閉鎖カバーは、シェル１１０の上壁１１０Ｃを構成する。
【０１０２】
カバーの上壁１１０Ｃは、好ましくは、安定手段１００を構成しているシェル１１０の上部開口にあるねじ山にねじ締めされる。
【０１０３】
図２６の主題である実施形態によれば、バッグの下部は、この下部を保護して安定手段１００に固定するためのスカート１２０を備えている。この保護スカート１２０は、可撓性材料で作製され、バッグの下部を包囲し、スカートの上部は、例えば前記バッグに縫い付けられる。この保護スカート１２０は、下に向かって広がり、スカートを安定手段１００に固定する手段をスカートの下縁に沿って有する。実施形態では、この固定手段は、スカート１２０の下縁に沿って形成されたへり１２１と、このへり内をスライドする引き紐１２２と、シェル１１０の包囲壁１１０ｂの上部に形成された連続溝１１３とで構成され、前記溝は、スカート１２０の小穴１２１を受け入れる。したがって、スカート１２０の下部は、この溝１１３の中で引き紐を絞ることによって安定手段１００に固定される。引き紐を用いて固定する作用はスカート１２０をぴんと張るためであり、これによってバッグの下壁１９の張りがシェル１１０の上壁１１０ｃに押しつけられる点に注意されたい。
【０１０４】
充填フォーム材１２３は、有利には、スカート１２０とバッグ１の下部との間に配置されてよい。この充填フォーム材は、機械的に負荷をかけて変形させることができ、機械的な負荷を止めると直ちに元の形状に戻せるように、弾性変形する。このような構成では、スカートが受けるおそれのある衝撃を吸収でき、これによってバッグの下部に対する保護を強化できる。
【０１０５】
図示した実施形態によれば、スカート１２０は、円錐台形の容積を規定し、この容積の大きい方の底面は、前記スカートの下縁と一致する。
【０１０６】
１つの実施形態によれば、安定手段は、この安定手段の垂直な対象軸に沿って完全に貫通する垂直な穿孔部を有して、第１の弾性戻し手段２１の通路となる。実施形態では、この穿孔部は、シェル１１０の下壁１１０ａを通ってこの下壁の中心を通る第１の孔と、シェル１１０の内部にある第１の垂直チューブ１１４で、第１の通し孔と一直線に軸沿いに下壁１１０ａに固定されているチューブの内孔と、シェル１１０の上壁１１０ｃを通りこの壁の中心を通る第２の孔１１５とで構成される。この第２の孔１１５は、好ましくは、第２の孔１１５と並んで軸沿いにシェル１１０の上壁１１０ｃに固定された第２の垂直チューブ１１６の内孔からシェル１１０の中まで延在し、この第２の垂直チューブ１１６は、第１のチューブ１１４と嵌合するように協働する。第１のチューブの下部は、有利には、管状ガイドスリーブ１９０を受け入れ、第１の戻し手段２１はこのガイドスリーブの中を通る。
【０１０７】
図２６の主題である実施形態によれば、シェルは、実質的に円錐台形の容積を規定し、この容積の小さい方の底面は、シェルの下壁１１０ａと一致する。
【０１０８】
両方の実施形態によれば、安定手段１００はこのほか、衝撃吸収材１０１に回転式に取り付けられ、この衝撃吸収材は、ベース２０に固定されるか設置され、あるいはこのようにする代わりに、地面自体に設定される。この衝撃吸収材１０１は、安定手段１００の周囲に配置され、この安定手段と接触した状態である。この衝撃吸収材１０１は、低密度のフォーム材で作製される。このフォーム材は、機械的に負荷をかけて変形させることができ、この機械的な負荷を止めると直ちに元の形状に戻せるように、弾性変形する。
【０１０９】
衝撃吸収材１０１は、円形に広がっている包囲壁１０４で形成される。この包囲壁１０４は、安定手段１００を受け入れるための開口ハウジング１０２を規定する。このハウジング１０２の形状は、好ましくは、安定手段のカバーまたはシェルの形状と実質的に補完し合う。この包囲壁１０４は、下方支持面および上縁を有する。この包囲壁１０４の水平に測定した際の厚みは、好ましくは支持面から上縁に向かって薄くなる。このような構成は、バッグ１が回転する動きに起因する包囲壁１０４上部の弾性変形を起こしやすくするとともに、この動きを緩和して、打撃を吸収したことによってバッグが地面に落下するのを防ぐようにする性質のものである。
【０１１０】
衝撃吸収材１０１の包囲壁１０４は、好ましくは開リングを形成し、このリングは２つの逆向きの端部が互いに対面する方向を向いている。この実施形態では、衝撃吸収材１０１は、前記２つの端部を合わせて、このようにして形成されたリングを閉じるストラップの形態をした接合要素を備える。各ストラップは、有利には、「ベルクロ」の商標で知られる類の自己把持型のストリップで構成される。各ストラップの２つの端部の一方は、衝撃吸収材１０１の２つの端部領域の一方に縫い付けられ、この端部を固定するために、衝撃吸収材のもう一方の端部領域に縫い付けられた自己把持型要素と協働するように適応している。衝撃吸収材１０１が開リング形態であるというこの構成により、この衝撃吸収材を安定手段１００の周囲に容易かつ迅速に密着させることができ、バッグ１または前記安定手段１００のいずれかを操作する必要がない。
【０１１１】
記載したような衝撃吸収材１０１は、好ましくは、低密度のフォーム材を保護するための表皮１０６を有する。この保護表皮１０６は、サイズを校正した排出孔１０７を有する（図２９）。サイズを校正したこれらの孔１０７により、衝撃吸収材１０１が圧縮された際に、フォーム材の細孔に含まれている空気を逃がすことができる。このような構成により、内部の空気圧が高くなりすぎて衝撃吸収材１０１が破裂するのを防ぐ。孔のサイズを校正しているため、衝撃吸収材の緩衝機能を強化することも可能である。緩衝作用を調整するために、サイズを校正した各孔に閉鎖部材を結合してよい。この部材は、「ベルクロ」の商標で知られているもののような自己把持型ストリップで構成されてよい。
【０１１２】
図２８からわかるように、衝撃吸収材１０１は、有利には、安定手段１００の上面を覆ってその上に載るように適応した上リップ１０３を有する。このような構成は、衝撃吸収材１０１および安定手段１００を互いに対して保持する。
【０１１３】
図２５および図２６に示したような第１の戻し手段２１は、弾性部材２１０ならびに非伸縮性の上連結器および下連結器２１４ａ、２１４ｂを備え、両連結器は、弾性部材の上および下にそれぞれ固定される。連結器２１４ｂの下部は管状スリーブ１９０に嵌合し、場合によってはねじを切った管状ブッシュに嵌合し、この管状ブッシュは、盲ねじ、または地面に載っているベース２０をまっすぐ貫通して延びているねじ山にねじ締めされるように適応している。下連結器２１４ｂは、保持ピン２１２を介してねじを切ったブッシュに固定される（図２５）。このようにするために、下連結器２１４ｂはその下部で、直径を貫通している孔を有する固定具２１１を受け入れ、この固定具は、ねじを切ったブッシュの下で保持ピン２１２を受け入れる。弾性部材２１０は張力がかかった状態であるため、保持ピン２１２は、ねじを切ったブッシュの下面を押圧する。このような構成により、地面に載っているベース２０にバッグを固定するのを容易にできる。このようにするために、弾性部材２１０は弛められ、ピンは、ねじを切ったブッシュの下で固定具２１１に挿入される。このねじを切ったブッシュは、バッグの下壁１９からは独立していて、そのため、ベースのねじ山にねじ締めでき、バッグを操作する必要がない。このようにする代わりに、下連結器２１０ｂをループ状のストラップに固定してもよく、このストラップは両端をプレートに固定され、プレートは、ベース２０の下に配置されるようになっている。そのため、ループ状のストラップは、ベース２０の貫通孔に嵌合する。また、プレートは地面固定される。
【０１１４】
連結器２１４ａは、好ましくはスイベル２１３を介して弾性部材２１０に固定される。この連結器２１４ａは、弾性部材２１０に張力を与えるのに使用できるもので、好ましくは上壁６に固定され、上壁６の貫通孔に嵌合し、この壁の上では、ストッパーを形成するケーブルクリップを受け入れる。弾性部材２１０には張力がかかるため、ケーブルクリップは、バッグ１の上壁６の上面に載る。このようにする代わりに、上壁６の貫通孔は、バッグの長手軸の中央にある縮小領域と、この縮小領域に隣接する拡大領域とを有するように構成される。このような構成では、張力をかける連結器２１４ａは、一連の等間隔の結び目２１５を有するか、または、壁６の貫通孔の拡大領域を自由にスライドする厚みが増したその他の部分を有する。孔のサイズが縮小した領域の直径は、連結器２１４ａの直径よりもわずかに大きいが、１つ１つの結び目が形成している厚みの増した部分の直径よりも遙かに小さい。したがって、張力をかけるために連結器２１４ａは、縮小領域に嵌合し、上壁のすぐ上にある結び目２１５は、弾性部材２１０に張力がかかることによって、通し孔の縮小領域の縁に載るようになる。
【０１１５】
したがって、このようなバッグは第２の戻し手段なしで使用できるが、図２５、図２６、図２７に示したような変形実施形態によれば、様々な実施形態で前述したような上方保持システム１０のみで形成された第２の戻し手段が設けられる。この保持システム１０は、バッグの例えば図１および図３に見られるリング９に直接固定されてよいが、好適な実施形態によれば、この保持システム１０は、様々な実施形態で前述したようなトリガー４４を用いてバッグ１に固定される。
【０１１６】
図２６および図２７から、トリガー４４の要素４４０は、バッグの上部に固定された方向変換可能な取付台に固定されていて、この取付台によってトリガーの向きを力の印加方向に設定できることがわかる。この取付台は、有利には、一連の水平ストラップ４４６で構成され、このストラップは弾性であってよく、十字に配置され、端部がバッグの上部、とりわけ外被２の上部に固定される。要素４４０は、任意の公知の手段でストラップの交差点に固定される。
【０１１７】
もう１つの実施形態によれば、上方保持システム１０の弾性部材は、弾性変形して湾曲する合成材料製の外装１０ａ内に配置される。この外装１０ａは、天井や柱などの構造体にしっかりと固定されるように適応した上方プレート１０ｂにしっかりと固定される。このような構成により、トリガーの要素４４１をバッグの軸に据えることができる。
【０１１８】
ベース２０は、有利には、それ自体が重みとなるマットで構成されてよい。
【０１１９】
バッグは、様々な形態を取ってよく、筒状であってもよいし、マネキン形状を仮定してもよい。
【０１２０】
非限定的に、安定手段の質量は５０ｋｇから６０ｋｇであるのに対し、バッグの質量は８ｋｇから１５ｋｇである。
【０１２１】
記載したバッグは、複数の弾性ストラップの下端を外被２の上部に固定して、天井や柱などの構造体に固定してもよい。
【０１２２】
当然ながら、本発明には、以下の特許請求の範囲に規定した通りの本発明の範囲を逸脱しない限り、同等の技術分野から得られるあらゆる構成および変形例を受け入れてよい。
【図１】
0006378210.tif 000002
【図２】
0006378210.tif 000003
【図３】
0006378210.tif 000004
【図４】
0006378210.tif 000005
【図５】
0006378210.tif 000006
【図６】
0006378210.tif 000007
【図７】
0006378210.tif 000008
【図８】
0006378210.tif 000009
【図９】
0006378210.tif 000010
【図１０】
0006378210.tif 000011
【図１１】
0006378210.tif 000012
【図１２】
0006378210.tif 000013
【図１３】
0006378210.tif 000014
【図１４】
0006378210.tif 000015
【図１５】
0006378210.tif 000016
【図１６】
0006378210.tif 000017
【図１７】
0006378210.tif 000018
【図１８】
0006378210.tif 000019
【図１９】
0006378210.tif 000020
【図２０】
0006378210.tif 000021
【図２１】
0006378210.tif 000022
【図２２】
0006378210.tif 000023
【図２３】
0006378210.tif 000024
【図２４】
0006378210.tif 000025
【図２５】
0006378210.tif 000026
【図２６】
0006378210.tif 000027
【図２７】
0006378210.tif 000028
【図２８−２９】
0006378210.tif 000029